(57)【要約】  採光スラット（４０）は、一方向に延在する採光板（４０）を備え、採光板（４０）は、光透過性を有し、採光板（４０）の長手方向に垂直な断面において屈曲もしくは湾曲した形状を有する基材（４１）と、基材（４１）の第１面（４１Ａ）の少なくとも第１の領域（４１Ａａ）に設けられた光透過性を有する複数の採光部（４２）と、複数の採光部（４２）の間に設けられた空隙部と、を備え、空隙部に接する採光部（４２）の側面の一部が採光部（４２）に入射した光を反射する反射面として機能する。
2016175203.tif 000002
【特許請求の範囲】
【請求項１】
一方向に延在する採光板を備え、
前記採光板は、光透過性を有し、前記採光板の長手方向に垂直な断面において屈曲もしくは湾曲した形状を有する基材と、前記基材の第１面の少なくとも第１の領域に設けられた光透過性を有する複数の採光部と、前記複数の採光部の間に設けられた空隙部と、を備え、
前記空隙部に接する前記採光部の側面の一部が前記採光部に入射した光を反射する反射面として機能する採光スラット。
【請求項２】
前記複数の採光部がフィルムの一面に設けられ、前記フィルムが前記基材の第１面に貼合される請求項１に記載の採光スラット。
【請求項３】
前記採光板を支持する支持部材を備える請求項１または請求項２に記載の採光スラット。
【請求項４】
前記複数の採光部が、複数の第１の採光部と、複数の第２の採光部と、を含み、
前記複数の第１の採光部が前記第１の領域に設けられ、
前記複数の第２の採光部が、前記基材の前記第１の領域に対して屈曲もしくは湾曲した第２部分のいずれかの面に設けられ、
前記第１の採光部の長手方向に垂直な断面形状が、前記第２の採光部の長手方向に垂直な断面形状と異なる請求項１から請求項３までのいずれか一項に記載の採光スラット。
【請求項５】
光拡散層が、前記基材の第２面に設けられる請求項１から請求項４までのいずれか一項に記載の採光スラット。
【請求項６】
前記基材が、前記基材の長手方向に平行な中心線に沿って折り曲げられる請求項１から請求項５までのいずれか一項に記載の採光スラット。
【請求項７】
前記基材が、前記基材の長手方向に平行であって、中心線からずれた位置にある直線に沿って折り曲げられ、
前記基材の前記第１面において、前記直線に対して面積が広い側の領域を前記第１の領域としたとき、前記複数の採光部が前記第１の領域に設けられる請求項１から請求項６までのいずれか一項に記載の採光スラット。
【請求項８】
前記基材の第２部分が光吸収性を有する請求項１から請求項７までのいずれか一項に記載の採光スラット。
【請求項９】
前記基材の第２部分が光反射性を有する請求項１から請求項７までのいずれか一項に記載の採光スラット。
【請求項１０】
複数のスラットと、
前記スラットの長手方向を水平方向に向けて前記複数のスラットを連結するとともに前記複数のスラットを鉛直方向に吊り下げる形態で支持する支持機構と、を備え、
前記複数のスラットのうちの少なくとも一部が、請求項１から請求項９までのいずれか一項に記載の採光スラットで構成される採光装置。
【請求項１１】
前記支持機構は、前記複数のスラットを昇降可能に支持する請求項１０に記載の採光装置。
【請求項１２】
前記支持機構は、前記複数のスラットの傾きを調整可能に支持する請求項１０または請求項１１に記載の採光装置。
【請求項１３】
前記複数のスラットのうちの鉛直方向上部側の一部に前記採光スラットが設けられ、鉛直方向下部側の一部に遮光スラットが設けられる請求項１０から請求項１２のいずれか一項に記載の採光装置。
【請求項１４】
前記採光スラットの長手方向に垂直な断面形状が、前記遮光スラットの長手方向に垂直な断面形状と同じである請求項１３に記載の採光装置。
【請求項１５】
前記採光スラットが複数あり、
複数の採光スラットにおいて、前記採光部の形状が異なる採光スラットを少なくとも一つ以上有する請求項１０〜１４のいずれか一項に記載の採光装置。
【発明の詳細な説明】
【技術分野】
【０００１】
本発明は、採光スラット及び採光装置に関するものである。
本願は、２０１５年４月３０日に、日本に出願された特願２０１５−０９２９２０号に基づき優先権を主張し、その内容をここに援用する。
【背景技術】
【０００２】
例えば、オフィスなどでは、窓ガラス等を通して屋外の自然光（太陽光）が屋内（室内）に入射するため、屋内に居る人に眩しさを感じさせることがある。このため、仕事中に眩しさを感じさせることがないように、また、セキュリティーやプライバシー保護の観点などから、窓ガラスの前面にブラインドやカーテン等を配置する場合がある。これにより、窓ガラスから入射する光を遮光したり、窓ガラスを通して室内を覗き見されるのを防ぐことができる。【０００３】
ブラインドの遮光性を高めるために、所定角度をなす第１平板部と第２平板部からなる断面山形形状を有するスラットを有するブラインドが提案されている（例えば、特許文献１）。この構成によれば、上下の平板部のスラットの第１平板部同士が重なり合う。そのため、全面的に第１平板部によって窓を覆うことができ、遮光性を高めることができる。【０００４】
ところで、ブラインドに遮光性に加えてその他の機能を持たせる取り組みも進められている。例えば、ブラインドのスラットに微細構造を有する採光部材を用いることで、日中の外光を効率よく採光し、室内の天井などに向けて照射させる方法が提案されている（例えば、特許文献２）。【０００５】
特許文献２には、平面状の変色素子と遮光素子とで導光フィルムを挟み込んでなるアセンブリーが支持座を介してスラットに設けられた構成が開示されている。この構成によれば、平面状のアセンブリーを支持する支持座が回動し、遮光性及び透光性を制御する。
【先行技術文献】
【特許文献】
【０００６】
【特許文献１】特許第２６９５５４５号公報
【特許文献２】特開２０１４−１５８３１号公報
【発明の概要】
【発明が解決しようとする課題】
【０００７】
上述のように以前から、スラットに利用する採光部材に微細形状を設けて、日中の外光を効率よく採光する方法がある。しかしながら、採光部材の微細構造の形状および採光状態における微細構造の向きが十分制御されていないと、十分な採光特性を得ることができない等の問題がある。【０００８】
例えば、特許文献１に記載されたスラットは、遮光特性を高めることしかできず、採光特性については記載も示唆もない。
また例えば、特許文献２に記載されたスラットは、各スラットが平板状である。そのため、ブラインドを閉じた際に、スラット同士が重なり合うことで傾斜する。そのため、窓と平行に設置することを想定した微細構造を有する採光部材では、十分な採光特性を得ることができない。【０００９】
本発明の一つの態様は、上記従来技術の問題点に鑑み成されたものであって、設計された採光特性を最大限得ることができるスラットを備えた採光装置、並びにそのような採光装置に用いて好適な採光スラットを提供することを目的の一つとしている。
【課題を解決するための手段】
【００１０】
本発明の一態様に係る採光スラットは、一方向に延在する採光板を備え、前記採光板は、光透過性を有し、前記採光板の長手方向に垂直な断面において屈曲もしくは湾曲した形状を有する基材と、前記基材の第１面の少なくとも第１の領域に設けられた光透過性を有する複数の採光部と、前記複数の採光部の間に設けられた空隙部と、を備え、前記空隙部に接する前記採光部の側面の一部が前記採光部に入射した光を反射する反射面として機能する。【００１１】
本発明の一態様に係る採光スラットにおいて、前記複数の採光部がフィルムの一面に設けられ、前記フィルムが前記基材の第１面に貼合された構成としてもよい。【００１２】
本発明の一態様に係る採光スラットは、前記採光板を支持する支持部材を備える構成とてもよい。【００１３】
本発明の一態様に係る採光スラットにおいて、前記複数の採光部が、複数の第１の採光部と、複数の第２の採光部と、を含み、前記複数の第１の採光部が前記第１の領域に設けられ、前記複数の第２の採光部が、前記基材の前記第１の領域に対して屈曲もしくは湾曲した第２部分のいずれかの面に設けられ、前記第１の採光部の長手方向に垂直な断面形状が、前記第２の採光部の長手方向に垂直な断面形状と異なる構成としてもよい。【００１４】
本発明の一態様に係る採光スラットにおいて、光拡散層が、前記基材の第２面に設けられた構成としてもよい。【００１５】
本発明の一態様に係る採光スラットにおいて、前記基材が、前記基材の長手方向に平行な中心線に沿って折り曲げられた構成としてもよい。【００１６】
本発明の一態様に係る採光スラットにおいて、前記基材が、前記基材の長手方向に平行であって、中心線からずれた位置にある直線に沿って折り曲げられ、前記基材の前記第１面において、前記直線に対して面積が広い側の領域を前記第１の領域としたとき、前記複数の採光部が前記第１の領域に設けられた構成としてもよい。【００１７】
本発明の一態様に係る採光スラットにおいて、前記基材の第２部分が光吸収性を有する構成としてもよい。【００１８】
本発明の一態様に係る採光スラットにおいて、前記基材の第２部分が光反射性を有する構成としてもよい。【００１９】
本発明の一態様に係る採光装置は、複数のスラットと、前記スラットの長手方向を水平方向に向けて前記複数のスラットを連結するとともに前記複数のスラットを鉛直方向に吊り下げる形態で支持する支持機構と、を備え、前記複数のスラットのうちの少なくとも一部が、上記の採光スラットで構成される。【００２０】
本発明の一態様に係る採光装置において、前記支持機構は、前記複数のスラットを昇降可能に支持する構成としてもよい。【００２１】
本発明の一態様に係る採光装置において、前記支持機構は、前記複数のスラットの傾きを調整可能に支持する構成としてもよい。【００２２】
本発明の一態様に係る採光装置において、前記複数のスラットのうちの鉛直方向上部側の一部に前記採光スラットが設けられ、鉛直方向下部側の一部に遮光スラットが設けられた構成としてもよい。【００２３】
本発明の一態様に係る採光装置において、前記採光スラットの長手方向に垂直な断面形状が、前記遮光スラットの長手方向に垂直な断面形状と同じである構成としてもよい。【００２４】
本発明の一態様に係る採光装置において、前記採光スラットが複数あり、複数の採光スラットにおいて、前記採光部の形状が異なる採光スラットを少なくとも一つ以上有してもよい。
【発明の効果】
【００２５】
以上のように、本発明の一つの態様によれば、屋外の自然光（太陽光）を屋内に効率良く採り入れるとともに、屋内に居る人に眩しさを感じさせずに、屋内の奥の方まで明るく感じさせることができる採光装置、並びにそのような採光装置に用いて好適な採光スラットを提供することが可能である。
【図面の簡単な説明】
【００２６】
【図１】採光装置の外観を示す斜視図。
【図２】採光板の概略構成を示す斜視図。
【図３】図２のＡ−Ａ’線に沿う断面の一部の拡大図。
【図４Ａ】図１に示す開状態の採光装置の要部を拡大した斜視図。
【図４Ｂ】図１に示す閉状態の採光装置の要部を拡大した斜視図。
【図５】採光装置が設置された部屋モデルの一例を示す模式図。
【図６】図１に示す採光装置が備える採光領域及び遮光領域の機能を説明するための斜視図。
【図７】採光領域を構成する採光スラットの機能を説明するための側面図。
【図８Ａ】平板形状の採光スラットを採用した場合において回動操作した様子を示す図。
【図８Ｂ】本発明の一態様に係る屈曲した形状の採光スラットをした場合において回動操作した様子を示す図。
【図９Ａ】遮光部を構成する遮光スラットの機能を説明するための第１の側面図。
【図９Ｂ】遮光部を構成する遮光スラットの機能を説明するための第２の側面図。
【図９Ｃ】遮光部を構成する遮光スラットの機能を説明するための第３の側面図。
【図１０Ａ】支持部材の変形例を示す第１の断面図。
【図１０Ｂ】支持部材の変形例を示す第２の断面図。
【図１０Ｃ】支持部材の変形例を示す第３の断面図。
【図１０Ｄ】支持部材の変形例を示す第４の断面図。
【図１０Ｅ】支持部材の変形例を示す第５の断面図。
【図１０Ｆ】支持部材の変形例を示す第６の断面図。
【図１１】採光板の変形例を示す断面図。
【図１２Ａ】採光スラットが備える採光部の変形例を示す第１の側面図。
【図１２Ｂ】採光スラットが備える採光部の変形例を示す第２の側面図。
【図１２Ｃ】採光スラットが備える採光部の変形例を示す第３の側面図。
【図１３Ａ】採光スラット及び遮光スラットの傾動動作を説明するための第１の側面図。
【図１３Ｂ】採光スラット及び遮光スラットの傾動動作を説明するための第２の側面図。
【図１３Ｃ】採光スラット及び遮光スラットの傾動動作を説明するための第３の側面図。
【図１４】第２実施形態の採光スラットの概略構成を示す斜視図。
【図１５Ａ】第３実施形態の採光スラットの要部を拡大して示す第１の断面図。
【図１５Ｂ】第３実施形態の採光スラットの要部を拡大して示す第２の断面図。
【図１６】第４実施形態の採光スラットの要部を拡大して示す断面図。
【図１７】第５実施形態の採光スラットの概略構成を示す斜視図。
【図１８Ａ】第１実施形態の採光スラットを用いた採光装置の全閉状態の側面図。
【図１８Ｂ】第５実施形態の採光スラットを用いた採光装置の全閉状態の側面図。
【図１９Ａ】第６実施形態の採光スラットを用いた採光装置の全閉状態の第１の側面図。
【図１９Ｂ】第６実施形態の採光スラットを用いた採光装置の全閉状態の第２の側面図。
【図１９Ｃ】第６実施形態の採光スラットを用いた採光装置の全閉状態の第３の側面図。
【図１９Ｄ】第６実施形態の採光スラットを用いた採光装置の全閉状態の第４の側面図。
【図２０Ａ】第６実施形態の採光スラットを用いた採光装置の全開状態の側面図。
【図２０Ｂ】第６実施形態の採光スラットを用いた採光装置の採光状態の側面図。
【図２０Ｃ】第６実施形態の採光スラットを用いた採光装置の減光状態の側面図。
【図２１】第７実施形態の採光スラットの概略を示す斜視図。
【図２２Ａ】第７実施形態の採光スラットを用いた採光装置の全開状態を示した側面図。
【図２２Ｂ】第７実施形態の採光スラットを用いた採光装置の全閉状態を示した側面図。
【図２３】第８実施形態の採光スラットの断面図。
【図２４Ａ】第１実施形態の採光スラットの機能を模式的に示した図。
【図２４Ｂ】第８実施形態の採光スラットの機能を模式的に示した図。
【図２５】第９実施形態における採光装置の断面を模式的に示した図である。
【図２６】採光装置及び照明調光システムを備えた部屋モデル２０００であって、図２７のＢ−Ｂ’線に沿う断面図。
【図２７】部屋モデルの天井を示す平面図。
【図２８】採光装置によって室内に採光された光（自然光）の照度と、室内照明装置による照度（照明調光システム）との関係を示すグラフ。
【発明を実施するための形態】
【００２７】
以下、本発明の実施形態につき、図面を参照して説明する。
なお、以下の説明に用いる各図面では、各部材を認識可能な大きさとするため、各部材の縮尺を適宜変更している。
【００２８】
［第１実施形態］
先ず、本発明の第１実施形態として、例えば図１に示す採光装置１について説明する。
なお、図１は、採光装置１の外観を示す斜視図である。また、以下の説明において、採光装置１の位置関係（上下、左右、前後）については、採光装置１の使用時における位置関係（上下、左右、前後）に基づくものとし、特に説明がない限りは、図面においても、採光装置１の位置関係は、紙面に対する位置関係と一致するものとする。
【００２９】
図１における採光装置１の上下方向をＺ方向、左右方向をＸ方向、前後方向をＹ方向とする。
【００３０】
採光装置１は、図１に示すように、互いに間隔を空けて水平方向（Ｘ方向）に平行に並ぶ複数のスラット２と、複数のスラット２を鉛直方向（Ｚ方向）に吊り下げ自在に支持する支持機構３と、を主として構成されている。採光装置１では、複数のスラット２を昇降自在に支持すると共に、複数のスラット２を傾動自在に支持している。
【００３１】
複数のスラット２は、採光性を有する複数の採光スラット４により構成される採光領域５と、採光領域５の下方に位置して、遮光性を有する複数の遮光スラット６により構成される遮光領域７とを有している。以下の説明において、採光スラット４と遮光スラット６とを特に区別しない場合は、スラット２としてまとめて扱うものとする。
【００３２】
採光領域５を構成する採光スラット４は、一方向に延在する採光板４０を備える。
図２は、採光板の概略構成を示す斜視図である。
図３は、図２のＡ−Ａ’線に沿う断面の一部の拡大図である。
【００３３】
採光板４０は、図２、図３に示すように、採光板４０の長手方向に垂直な断面（Ａ−Ａ’面）において屈曲もしくは湾曲した形状を有する基材４１と、基材４１の第１面４１Ａの少なくとも第１の領域４１Ａａに設けられた光透過性を有する複数の採光部４２と、複数の採光部４２の間に設けられた空隙部４３と、を備える。
【００３４】
基材４１は、長手方向に垂直な断面において屈曲もしくは湾曲した形状を有する。図２では、基材４１は、第１平面４１Ａに第１の領域４１Ａａを有する第１部分４１ａと、第１平面４１Ａに第２の領域４１Ａｂを有する第２部分４１ｂからなる。この第１部分４１ａと第２部分４１ｂの境界で、基材４１は長手方向に平行な中心線に沿って折り曲げられている。基材４１を構成する第１部分４１ａと第２部分４１ｂのなす角度θは、第１の領域４１Ａａに形成される採光部４２の形状に応じて適宜設定される。
第１部分４１ａの第１の領域４１Ａａには、採光部４２が設けられる。すなわち、屈曲する基材４１の採光部４２が設けられている側の部分が第１部分４１ａであり、屈曲する基材４１の採光部４２が設けられていない側の部分が第２部分である。第１部分４１ａの第１の領域４１Ａａは、平坦面となることが好ましい。
【００３５】
基材４１は、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材４１の全光線透過率は、ＪＩＳ  Ｋ７３６１−１の規定で９０％以上が好ましい。これにより、十分な透明性を得ることができる。
【００３６】
採光部４２は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部４２の全光線透過率は、ＪＩＳ  Ｋ７３６１−１の規定で９０％以上が好ましい。これにより、十分な透明性を得ることができる。
【００３７】
複数の採光部４２は、基材４１の長手方向（Ｘ方向）に延在し、且つ、基材４１の短手方向（Ｙ方向）に並んで設けられている。また、各採光部４２は、断面三角形状のプリズム体を構成している。具体的に、この採光部４２は、基材４１の第１面４１ａの第１の領域４１Ａａと対向する第１の面部４２ａと、第１の面部４２ａと第１の角部４４ａを挟んで隣接する第２の面部４２ｂと、第１の面部４２ａと第１の角部４４ａとは反対側の第２の角部４４ｂを挟んで隣接し且つ第２の面部４２ｂと第３の角部４４ｃを挟んで隣接する第３の面部（反射面：側面）４２ｃとを有している。
【００３８】
ここで、複数の採光部４２の各間には、空気（空隙部４３）が存在しているため、第２の面部４２ｂ及び第３の面部４２ｃが採光部４２の構成材料と空気との界面となる。この間には、他の低屈折率材料で充填してもよい。しかしながら、採光部４２の内部と外部との界面の屈折率差は、外部にいかなる低屈折率材料が存在する場合よりも空気が存在する場合に最大となる。したがって、空気が存在する場合は、スネル（Ｓｎｅｌｌ）の法則より、採光部４２に入射した光のうち、第２の面部４２ｂ又は第３の面部４２ｃで全反射する光の臨界角が最も小さくなる。これにより、第２の面部４２ｂ又は第３の面部４２ｃで全反射される光の入射角の範囲が最も広くなることから、採光部４２に入射した光を基材４１の他面側へと効率良く導くことができる。結果として、採光部４２に入射した光の損失が抑えられ、基材４１の他面から出射される光の輝度を高めることができる。
【００３９】
基材４１の屈折率と採光部４２の屈折率とは略同等であることが望ましい。例えば、基材４１の屈折率と採光部４２の屈折率とが大きく異なる場合、光が採光部４２から基材４１に入射したときに、これら採光部４２と基材４１との界面で不要な光の屈折や反射が生じることがある。この場合、所望の採光特性が得られない、輝度が低下するなどの不具合が生じる虞があるからである。
【００４０】
また、採光板４０の製造方法としては、例えば、フォトリソグラフィ技術を用いて基材４１の上に複数の採光部４２を形成することができる。また、フォトリソグラフィ技術を用いる方法以外にも、溶融押し出し法や型押し出し法、インプリント法などの方法によって、採光板４０を製造することができる。溶融押し出し法や型押し出し法などの方法では、基材４１と採光部４２は同一の樹脂によって一体に形成される。
また採光部４２をフィルムの一面に形成し、そのフィルムを基材の第１面に貼合してもよい。フィルムの一面に採光部４２を形成する方法は、上述のフォトリソグラフィ技術やインプリント法等を用いることができる。
【００４１】
図１に戻り、遮光領域７を構成する遮光スラット６は、遮光性を有する長尺板状の遮光用基材１１からなる。遮光用基材１１は、いわゆるブラインド用のスラットとして一般的に使用されているものであればよく、例えば、金属製や木製、樹脂製のものを挙げることができる。また、遮光用基材１１の表面に塗装等を施したものを挙げることができる。
また遮光領域７を構成する遮光スラット６は、すべてが遮光性の高いものからなる必要はない。例えば、遮光領域７を構成する遮光スラット６の一部は、着色された光透過性を有する着色スラットにより構成されていてもよい。このように遮光スラット６の全部または一部を着色スラットとすることにより、完全に外光を遮光するスラットよりも室内の明るさを向上させることができる。また、室内に居る人の視線やパソコンモニターに過度なグレア光が入ることもなく、快適な室内環境が得られる。さらに、屋外から室内を覗き見される心配もなく、室内に居る人のプライバシーも確保される。
【００４２】
遮光スラット６の長手方向に垂直な断面形状は、図３で示す採光スラット４の形状と同じ形状としてもよい。この構成によれば、遮光スラット６を収納する際に不要な応力等の発生を抑制できる。
【００４３】
支持機構３は、鉛直方向（複数のスラット２の短手方向）に平行に並ぶ複数のラダーコード１２と、複数のラダーコード１２の上端部を支持する固定ボックス１３と、複数のラダーコード１２の下端部に取り付けられる昇降バー１４とを備えている。
【００４４】
図４Ａ，図４Ｂは、採光装置１の要部を拡大した斜視図であり、図４Ａは、各スラット２の間を開いた状態を示し、図４Ｂは、各スラット２の間を閉じた状態を示す。
【００４５】
ラダーコード１２は、複数のスラット２の中央部を挟んだ左右の両側に一対並んで配置されている。各ラダーコード１２は、図４Ａ，図４Ｂに示すように、互いに平行に並ぶ前後一対の縦コード１５ａ，１５ｂと、縦コード１５ａ，１５ｂの間に掛け渡された上下一対の横コード１６ａ，１６ｂとを有し、且つ、横コード１６ａ，１６ｂが縦コード１５ａ，１５ｂの長手方向（鉛直方向）に等間隔に並んで配置された構成を有している。各スラット２は、縦コード１５ａ，１５ｂと横コード１６ａ，１６ｂとの各間に挿入された状態で配置されている。
【００４６】
図１に示すように、固定ボックス１３は、互いに平行に並ぶ複数のスラット２の最上部に位置して、これら複数のスラット２と平行に並んで配置されている。一方、昇降バー１４は、互いに平行に並ぶ複数のスラット２の最下部に位置して、これら複数のスラット２と平行に並んで配置されている。各ラダーコード１２を構成する縦コード１５ａ，１５ｂは、昇降バー１４の自重により鉛直下向きに引っ張られた状態で、固定ボックス１３より垂下されている。
【００４７】
支持機構３は、複数のスラット２を昇降操作するための昇降操作部１７と、複数のスラット２を傾動操作するための傾動操作部１８とを備えている。
【００４８】
昇降操作部１７は、図１及び図４Ａ，図４Ｂに示すように、複数の昇降コード１９を有している。複数の昇降コード１９は、それぞれラダーコード１２を構成する縦コード１５ａ，１５ｂと平行に並んで配置されている。また、複数の昇降コード１９は、各スラット２に形成された孔部２０を貫通した状態で、その下端部が昇降バー１４に取り付けられている。
【００４９】
複数の昇降コード１９は、その上端側が固定ボックス１３の内部で引き回されて、固定ボックス１３の一方側に設けられた窓部２１から引き出されている。窓部２１から引き出された昇降コード１９は、操作コード２２の一端と連結されている。操作コード２２の他端は、昇降バー１４の一端部に取り付けられている。
【００５０】
昇降操作部１７では、昇降バー１４が最下部に位置する状態から、操作コード２２を引っ張ることによって、昇降コード１９が固定ボックス１３の内側へと引き込まれる。これにより、複数のスラット２が下部側から順に昇降バー１４の上に重なり合いながら、昇降バー１４と共に上昇する。昇降コード１９は、窓部２１の内側に設けられたストッパー（図示せず。）により固定される。これにより、昇降バー１４を任意の高さ位置で固定することができる。逆に、ストッパーによる昇降コード１９の固定を解除することによって、昇降バー１４を自重により降下させることができる。これにより、再び昇降バー１４を最下部に位置させることができる。
【００５１】
傾動操作部１８は、図１に示すように、固定ボックス１３の一方側に操作レバー２３を有している。操作レバー２３は、軸回りに回動自在に取り付けられている。傾動操作部１８では、操作レバー２３を軸回りに回動させることによって、図４Ａに示すラダーコード１２を構成する縦コード１５ａ，１５ｂを互いに逆向きに上下方向に移動操作することができる。これにより、図４Ａに示す各スラット２の間を開いた状態と、図４Ｂに示す各スラット２の間を閉じた状態との間で、複数のスラット２を互いに同期させながら傾動させることができる。
【００５２】
以上のような構成を有する採光装置１は、窓ガラス等の上部から吊り下げられた状態で、この窓ガラスの内面に複数のスラット２を対向させた状態で配置される。また、採光領域５は、各採光スラット４の採光部４２が形成された第１の領域４１Ａａを窓ガラスに対向させた状態で配置される。
【００５３】
ここで、図５に示す部屋モデル１０００を用いて採光装置１の採光領域５及び遮光領域７の機能について説明する。なお、図５は、採光装置１が設置された部屋モデル１０００の一例を示す模式図である。
【００５４】
部屋モデル１０００は、例えば採光装置１のオフィスでの使用を想定したモデルである。具体的に、図５に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光Ｌが斜め上方から入射する場合を模している。採光装置１は、窓ガラス１００３の内面に対向した状態で配置されている。
【００５５】
部屋モデル１０００では、室内１００６の高さ寸法（天井１００１から床１００２までの寸法）Ｈ１を２．７ｍとし、窓ガラス１００３の縦寸法Ｈ２を天井１００１から１．８ｍとし、採光部５の縦寸法Ｈ３を天井１００１から０．６ｍとし、室内１００６の奥行き寸法（手前の側壁１００４から奥の側壁１００５までの寸法）Ｗを１６ｍとしている。
【００５６】
部屋モデル１０００では、室内１００６の中の方に椅子に座っている人Ｍａと、室内１００６の奥の方に床１００２に立っている人Ｍｂとがいる。椅子に座っている人Ｍａの眼の高さＨａは、床１００２から０．８ｍとし、床１００２に立っている人Ｍｂの眼の高さＨｂは、床１００２から１．８ｍとしている。
【００５７】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として窓ガラス１００３を通して屋外の光Ｌが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００５８】
採光領域５では、図５及び図６に示すように、各採光スラット４の一面に対して斜め上方から内部に入射した光Ｌを、各採光スラット４の他面から外部へと斜め上方に向けて出射する。具体的に、各採光スラット４では、図７に示すように、第２の面部４２ｂから各採光部４２に入射した光Ｌが第３の面部４２ｃで全反射した後、天井１００１に向かう光Ｌとして、基材４１の他面から出射される。
【００５９】
この出射した光は、基材４１の第２部分４１ｂに再入射しないように設計されていることが好ましい。具体的には、基材４１を構成する第１部分４１ａと第２部分４１ｂのなす角度θ及び第２部分４１ｂの長さＬ２を、第１の領域４１Ａａに形成される採光部４２の形状に応じて適宜設定する。このように採光スラット４の形状を設計することで、基材４１の他面から出射した光が、基材４１の第２部分４１ｂに再入射しない様にすることができる。そのため、天井１００１に向かって出射された光の一部が、基材４１の第２部分４１ｂによって、床１００２に向かって反射することを避けることができる。
【００６０】
また採光スラット４を構成する基材４１が屈曲することで、採光装置の全閉状態において、基材４１の採光部４２が設けられる第１の領域４１Ａａを窓ガラス１００３と平行な姿勢にすることができる。
図８Ａは、平板形状の採光スラットを採用した場合において、採光スラットを回動操作した様子を示す図である。図８Ｂは、屈曲した形状の採光スラットを採用した場合おいて、採光スラットを回動操作した様子を示す図である。
【００６１】
図８Ａに示すように、平板形状の採光スラットを採用した場合、回動操作したときに窓ガラス１００３に対して採光スラット３０は平行にはならず、傾いた状態となる。つまり、平面視において上下方向に並ぶ採光スラット３０の端部同士が重なり合うことで室内側への光漏れを防止する構造である。そのため、図１に示した昇降コード１９を操作して採光スラット３０を起立姿勢にしようとしても、上下方向に並ぶ採光スラット３０の端部同士が当接するため垂直な姿勢にはならない。このような構成では、採光スラット３０が垂直な姿勢となった際に最大の採光特性を得るように設定している場合、採光特性を十分得ることができない。また傾いた状態での採光特性を最大限にしようとすると、採光部の形状の設計が難しくなる。
【００６２】
一方、図８Ｂに示すように、屈曲した形状の採光スラット４を採用した場合は、回動操作したときに、上下方向に並ぶ各採光スラット４の一部（第１部分４１ａの第１の領域４１Ａａ）が窓ガラス１００３に対して平行な姿勢となる。したがって、設計された採光特性を最大限得ることができる。
【００６３】
また図８Ｂに示すように、採光装置の全閉状態での採光特性を最大限得るためには、全閉状態において隣接する採光スラット４の第１部分４１ａ間の隙間が少なく、採光スラット４の第１部分４１ａが密に設けられていることが好ましい。全閉状態において第１部分４１ａを密にするためには、第１部分４１ａの長さＬ１、第２部分４１ｂの長さＬ２、第１部分４１ａと第２部分４１ｂのなす角度θ、スラット幅Ｌ３及び隣接するスラットピッチＰを設計することが好ましい。
【００６４】
本実施形態の採光スラット４が、全閉状態でどの程度密に配置されているか（採光面積率）は、例えば以下のように求めることができる。
本実施形態において、基材４１は、長手方向に平行な中心線に沿って折り曲げられている。そのため、第１部分４１ａの長さＬ１と第２部分４１ｂの長さＬ２は同一である。したがって、第１部分４１ａの長さＬ１は、Ｌ１＝Ｌ３×（１／ｃｏｓ（（１８０−θ）／２）となる。ここで、一般に市販されているブラインドでは、スラット幅Ｌ３と隣接するスラットピッチＰは一定の関係を満たす。この市販されているブラインドのスラットを、本実施形態の採光スラット４に変更することを想定すると、Ｌ３／Ｐ≒１．２となる。ここで、全閉状態では、スラットピッチＰにおける第１部分４１ａの占める割合が、そのまま採光面積率となる。そのため、上述の関係式をスラットピッチＰと第１部分４１ａの長さＬ１の関係式として、式を変形すると、Ｌ１／Ｐ≒１．２×（１／２）×（１／ｃｏｓ（（１８０−θ）／２）となる。ここで、例えばθ＝１５０°とすると、Ｌ１／Ｐ≒０．６２となり、採光面積率が６２％となる。
【００６５】
このような採光スラット４を用いることで、図５に示すように、窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。すなわち、窓ガラス１００３を通して室内１００６に入射した光Ｌを天井１００１に向けて効率良く照射することができる。また、室内１００６に居る人Ｍａ，Ｍｂに眩しさを感じさせることなく、天井１００１に向かう光Ｌを室内１００６の奥の方まで照射することができる。
【００６６】
さらに、天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００６７】
一方、遮光領域７では、図５及び図６に示すように、各遮光スラット６の一面に対して斜め上方から内部に入射した光Ｌを、各遮光スラット６により遮光する。遮光領域７は、採光領域５よりも下方に位置するため、窓ガラス１００３を通して室内１００６に入射した光Ｌのうち、主にグレア領域Ｇに向かう光や床１００２に向かう光を遮光することが可能である。
【００６８】
図９Ａ〜図９Ｃは、遮光領域７を構成する遮光スラット６の機能を説明するための側面図であって、図９Ａは、各スラット２の間を開いた状態を示し、図９Ｂは、各スラット２の間を閉じた状態を示し、図９Ｃは、各スラット２の収納状態を示す。
この際の遮光スラット６の形状は、採光スラット４と同じとしている。遮光スラット６の形状が、採光スラット４と同じであることで、収納時に局所的に強い応力が加わることを避けることができる。そのため、遮光スラット６が断面変形することを避けることができる。また図９Ｃに示すように、固定ボックス１３及び昇降バー１４には、スラット２の収納を補助する補助部材１３Ａ，１４Ａを設けておくことが好ましい。
【００６９】
採光装置１では、図９Ａ，図９Ｂに示すように、複数のスラット２を傾動操作することによって、採光領域５において天井に向かう光Ｌの角度を調整することができる。一方、遮光領域７においては、複数のスラット２を傾動操作することによって、遮光スラット６の各間から入射する光Ｌを調整したり、遮光スラット６の各間から窓ガラス１００３を通して屋外の様子を見たりすることができる。
【００７０】
また、採光装置１では、図９Ｃに示すように、複数のスラット２を下方側から折り畳みながら昇降バー１４を上昇させていき、例えば、昇降バー１４を下まで下した状態の時に採光領域５と遮光領域７に対応する位置の境界に昇降バー１４を位置させた場合、窓ガラス１００３の遮光領域７であった位置と対向する領域を開放した状態することができる。さらに、昇降バー１４を最上部まで上昇させた場合には、窓ガラス１００３の全面を開放することができる。
【００７１】
また、図９Ａ〜図９Ｃでは遮光スラット６の形状は、採光スラット４と同じとして図示した。これに対し、遮光スラット６は、平板状のものを用いてもよい。この場合、「ＪＩＳ  Ａ４８０１  鋼製及びアルミニウム合金製ベネシャンブラインド」の規定において、スラットは、幅３５ｍｍ以上のものは３ｍｍ以上、３５ｍｍ未満のものは２ｍｍ以上の重なりしろがあり、かつ、スラットが全閉状態のとき水平方向から見て向こう側が見えてはならない。
そのため、閉状態における遮光スラット６の間隔として、ＪＩＳ規定を満たすことが好ましい。
【００７２】
以上のように、本実施形態の採光装置１を用いた場合には、窓ガラス１００３を通して室内１００６に入射した光Ｌを、採光領域５を構成する複数の採光スラット４によって室内１００６の天井１００１に向けて照射するとともに、遮光領域７を構成する複数の遮光スラット６によってグレア領域Ｇに向かう光Ｌを遮光することができる。
【００７３】
したがって、この採光装置１によれば、採光領域５を通して屋外の自然光（太陽光）を室内１００６に効率良く採り入れると共に、室内１００６に居る人Ｍａ，Ｍｂに眩しさを感じさせずに、室内１００６の奥の方まで明るく感じさせることが可能である。一方、遮光領域７によって窓ガラス１００３から入射する光を遮光したり、窓ガラス１００３を通して室内１００６を覗き見されるのを防いだりすることが可能である。
【００７４】
なお、本発明は、上記第１の実施形態として示す採光装置１の構成に必ずしも限定されるものではなく、本発明の趣旨を逸脱しない範囲において種々の変更を加えることが可能である。
【００７５】
ここで、基材の変形例を図１０Ａ〜図１０Ｆに示す。
図１０Ａ〜図１０Ｆは、基材の変形例を示す断面図である。
【００７６】
例えば、図１０Ａに示す基材４５は、第１部分４５ａと第２部分４５ｂからなる点において、図２及び図３の構成と同じである。この第２部分４５ｂが突出する向きが異なる。
また図１０Ｂに示す基材４６は、第１部分４６ａと第２部分４６ｂからなる点において、図２及び図３の構成と同じである。第２部分４６ｂが、図２及び図３の構成の第１部分４１ａと異なる端部に接続されている点が異なる。
【００７７】
また基材は、第１部分と第２部分からなる構成に限られない。例えば、図１０Ｃに示すように、基材４７の長手方向に垂直な断面の形状が、垂直に交差する第１部分と第２部分が複数回繰り返された形状であってもよい。いわゆる多段状であってもよい。また図１０Ｄに示す基材４８は、図２及び図３で示す基材４１の両端が接続され、基材４８の長手方向に垂直な断面の形状が筒状の三角形状である。この筒状の形状は、三角形状に限られず、多角形状としてもよい。さらに図１０Ｅに示す基材４９は、基材の一部を切り欠いた溝部を形成している点が図２及び図３で示す基材４１と異なる。また図１０Ｆに示す基材４１０は、基材が屈曲するのではなく湾曲している。
いずれの場合においても、採光装置が全閉状態で、窓ガラス１００３に対して垂直になる面を含む領域を第１の領域４５Ａａ〜４９Ａａ、４１０Ａａとする。この第１の領域４５Ａａ〜４９Ａａ、４１０Ａａには、採光部４２が設けられる。この採光部４２は、第１の領域４５Ａａ〜４９Ａａ、４１０Ａａに直接設けてもよいし、フィルムを介して貼合してもよい。また図１０Ｅに示す構成の場合に、採光部４２が設けられた部材を溝部に嵌合してもよい。
【００７８】
また採光部４２は、窓ガラス１００３に対して垂直になる面を含む第１の領域４１Ａａに形成されればよく、図７の構成に限らない。図１１に示すように、採光部４２を室内１００６側に向けて形成してもよい。この場合、採光部４２が集光しないように適宜、採光部４２と空隙部４３の屈折率差を調整することが好ましい。なお、この場合、採光部４２が設けられた第１面４１Ａは、図７の場合と反対側の面となる。
【００７９】
採光部４２については、長手方向と直交する方向の断面が、上述した断面三角形状のプリズム体により構成されたものに限られない。例えば、図１２Ａに示す採光部４２Ａのように、断面直角三角形状のプリズム体により構成されたものであってもよい。また、図１２Ｂに示す採光部４２Ｂのように、断面台形（矩形）状のプリズム体により構成されていてもよい。さらに、その断面形状についても、五角形や六角形など適宜変更を加えることができる。図１２Ｃに、長手方向に直交する方向の断面が六角形状の採光突起部４２Ｃを示す。
【００８０】
上記スラット２の数や大きさ等については、窓ガラス１００３の大きさに合わせて適宜変更を加えることができる。これに合わせて、上記ラダーコード１２については、複数のスラット２を互いに平行な状態で支持するため、その配置する数を増やすことも可能である。
【００８１】
また昇降操作部１７における昇降コード１９は無くてもよい。昇降コード１９を通す孔部２０を無くすことで、孔部２０からの光漏れを抑制することができる。
【００８２】
また、上記採光装置１では、複数のスラット２のうち、採光領域５を構成する複数の採光スラット４が上部側に配置され、遮光領域７を構成する複数の遮光スラット６が下部側に配置された構成となっているが、このような構成に必ずしも限定されるものではなく、複数のスラット２のうち少なくも一部が採光スラット４により構成されていればよい。例えば、採光領域５が複数のスラット２のうち、鉛直方向最上部に位置する必要はなく、採光領域５の鉛直方向上部にさらに遮光領域７を設けてもよい。この他にも、例えば、複数のスラット２のうち、鉛直方向上方ほど遮光スラット６の割合を増し、鉛直方向下方ほど採光スラット４の割合を増すように、徐々に採光スラット４と遮光スラット６の存在比率を上下方向で変化させるように配置してもよい。採光スラット４及び遮光スラット６の配置は、本発明の機能を逸しない限りにおいて、適宜変形することができる。
【００８３】
また、上記支持機構３では、上述した昇降操作部１７と傾動操作部１８とを手動で操作する構成となっているが、駆動モータ等の駆動手段を用いて、複数のスラット２の昇降操作と、複数のスラット２の傾動操作とを自動で操作する構成としてもよい。
【００８４】
さらに、上記支持機構３では、例えば図１３Ａ〜図１３Ｃに示すように、採光領域５を構成する複数の採光スラット４と、遮光領域７を構成する複数の遮光スラット６とを、それぞれ独立に傾動操作する構成であってもよい。
【００８５】
具体的に、図５及び図１３Ａに示すように、採光領域５及び遮光領域７を閉状態とすることで、窓ガラス１００３を通して室内１００６に入射した光Ｌを、採光領域５を構成する複数の採光スラット４によって室内１００６の天井１００１に向けて照射すると共に、遮光領域７を構成する複数の遮光スラット６によってグレア領域Ｇに向かう光Ｌを遮光する。
【００８６】
一方、図５及び図１３Ｂに示すように、太陽の高度が比較的高い場合には、これに合わせて、採光領域５を構成する複数の採光スラット４のみを回動させることによって、各採光スラット４の角度を調整する。これにより、図５及び図１３Ａに示す場合と同様に、窓ガラス１００３を通して室内１００６に入射した光Ｌを、採光領域５を構成する複数の採光スラット４によって室内１００６の天井１００１に向けて照射することができる。
【００８７】
また、図５及び図１３Ｃに示すように、遮光領域７を構成する複数の遮光スラット６のみを回動させることによって、採光領域５を閉状態としながら、遮光領域７を開状態とすることができる。これにより、窓ガラス１００３を通して室内１００６に入射した光Ｌを、採光領域５を構成する複数の採光スラット４によって室内１００６の天井１００１に向けて照射すると共に、遮光領域７を構成する複数の遮光スラット６の間から窓ガラス１００３を通して屋外の様子を見ることができる。
【００８８】
［第２実施形態］
次に、第２実施形態の採光スラットについて説明する。
以下に示す本実施形態の採光スラットの基本構成は、上記第１実施形態と略同様であるが、本実施形態では支持部材を有する構成において異なる。よって、以下の説明では、支持部材の構成について詳しく説明し、共通な箇所の説明は省略する。また、説明に用いる各図面において、図１〜図１３Ｃと共通の構成要素には同一の符号を付すものとする。
【００８９】
図１４は、第２実施形態の採光スラットの概略構成を示す断面図である。
図１４に示すように、本実施形態の採光スラット５０は、採光板４０を支持する支持部材５１を備える。支持部材５１は、採光板４０を支持することができれば、その形状は問わない。例えば、図１４に示すように、採光板４０の外周を支持するフレームでもよい。
厚さ０．１〜１．０ｍｍ程度の採光板４０を単独で採光スラットとして用いた場合には経年使用による撓み等の問題が生じてくるが、支持部材５１によって採光板４０を支持する構成とすることで、採光板４０の経年変化を防止することが可能である。
【００９０】
また採光板４０が図１０Ｄのように開口部を有する場合は、その内部かつ光の通路を阻害しない部分に、金属等の硬質部材を挿入してもよい。
【００９１】
［第３実施形態］
次に、本発明の第３実施形態の採光スラットの構成について説明する。
以下に示す本実施形態の採光スラットは、基材の第１の領域に対して屈曲もしくは湾曲した第２部分にも異なる採光機能を有する採光部を設けた点において上記実施形態とは異なる。以下の説明では、上記実施形態と共通な箇所の説明は省略し、説明に用いる各図面において、図１〜図１３Ｃと共通の構成要素には同一の符号を付すものとする。
【００９２】
図１５Ａ及び図１５Ｂは、第３実施形態の採光スラットの要部を拡大して示す断面図である。
本実施形態の採光スラット６０は、図１５Ａに示すように、第１面４１ａの第１の領域４１Ａａと、第２の領域４１Ａｂが互いに異なる採光機能を有する。
【００９３】
図１５Ａに示すように、第１の領域４１Ａａに設けられた複数の第１の採光部６１と、第２の領域４１Ａｂに設けられた複数の第２の採光部６２とでは、各々の断面における形状が異なっている。第１の採光部６１は、第１の領域４１Ａａに入射した光を室内１００６の窓側の天井１００１に向けて出射する角度のプリズム体により構成されている。
一方、第２の採光部６２は、第２の領域４１Ａｂに入射した光を室内１００６の奥側の天井１００１に向けて出射する角度のプリズム体により構成されている。
【００９４】
この構成の場合、採光スラット６０に入射した光Ｌを、第１の採光部６１と第２の採光部６２とがそれぞれ異なる角度で射出させ、室内１００６の窓側から奥側の天井１００１に向けてそれぞれ照射する。このため、太陽高度にかかわらず、室内１００６の天井１００１の略全体に光を照射することが可能である。また、本実施形態の採光スラット６０は、屈曲した形状を有するため、入射した光を室内１００６の天井１００１に向けて出射する角度を連続的に変化させることができる。これにより、より均一な光Ｌを天井１００１に向けて照射することができる。
【００９５】
図１５Ａでは、採光スラット６０の一面に第１の採光部６１及び第２の採光部６２を設けたが、この構成に限られない。より具体的には、複数の第２の採光部６２は、基材の第１の領域４１Ａａに対して屈曲もしくは湾曲した第２部分４１ｂのいずれかの面に設けてもよい。図１５Ｂは、複数の第２の採光部６２が、基材の第１の領域４１Ａａに対して屈曲もしくは湾曲した第２部分４１ｂであって、第１の領域４１Ａａと異なる面に設けられた採光スラット６０の断面模式図である。第１の採光部６１と第２の採光部６２が基材の異なる面に設けられていると、使用の態様に応じて、採光スラット６０の内、窓と平行になる部分を変更することができる。例えば、比較的太陽が高い位置に存在する夏には、第１の採光部６１が形成された面を窓と平行になるように配置し、比較的太陽が低い位置に存在する冬には、第２の採光部６２が形成された面を窓と平行になるように配置することができる。この構成によれば、時間及び時期等の使用態様に応じて、適切な採光特性を得るために、用いる採光部を変更することが容易になる。
【００９６】
［第４実施形態］
次に、本発明の第４実施形態の採光スラットの構成について説明する。
以下に示す本実施形態の採光スラットの基本構成は、上記第１実施形態と略同様であるが、光拡散フィルムをさらに備えた点において異なる。よって、以下の説明では、光散乱フィルムとその周囲の構成について詳しく説明し、共通な箇所の説明は省略する。また、説明に用いる各図面において、図１〜図１３Ｃと共通の構成要素には同一の符号を付すものとする。
【００９７】
図１６は、第４実施形態の採光スラットの要部を拡大して示す図である。
本実施形態の採光スラット７０は、図１６に示すように、基材４１の第２の面に光拡散層（光拡散フィルム）７１が設けられた構成となっている。拡散フィルム７１は、基材４１の第２の面に貼合せることで設置してもよいし、基材が図１０Ｄのような構成の場合、嵌合部に嵌めこむことで設置してもよい。
【００９８】
光拡散フィルム７１は、図１６に示すように、基材４１の第２の面４１Ｂの第１の領域４１Ａａに対向する部分を覆うようにして配置される。そのため、採光部４２を介して射出された光を、光拡散フィルム７１が拡散させる。光拡散フィルム７１は、光を主に水平方向（採光スラット７０の長手方向）に拡げるとともに、上下方向（採光スラット７０の短手方向）にはあまり拡げない異方性の光散乱特性が望ましい。
【００９９】
なお、本実施形態では、光拡散層として１つの光拡散フィルム７１を備えているが、複数の光拡散フィルム７１が積層された構造のものを採用してもよい。
【０１００】
本実施形態の採光スラット７０によれば、基板４１の光射出側に光拡散フィルム７１を配置した。そのため、採光スラット７０から天井１００１（図５）に向かう光が光拡散フィルム７１によって拡散される。これにより、より均一な光を天井１００１（図５）に向けて照射することができる。特に、光拡散フィルム７１が、異方性の光散乱特性を有する場合、部屋の奥行き方向においても明るさを均一にすることができる。
【０１０１】
［第５実施形態］
次に、本発明の第５実施形態の採光スラットの構成について説明する。
以下に示す本実施形態の採光スラットの基本構成は、上記第１実施形態と略同様であるが、基材を基材の長手方向に平行であって、中心線からずれた位置にある直線に沿って折り曲げられている点において異なる。よって、以下の説明では、この採光スラットについて詳しく説明し、共通な箇所の説明は省略する。また、説明に用いる各図面において、図１〜図１３Ｃと共通の構成要素には同一の符号を付すものとする。
【０１０２】
図１７は、第５実施形態の採光スラットの概略構成を示す斜視図である。本実施形態の採光スラット８０は、図１７に示すように、基材８１が、その長手方向に平行であって、中心線Ｃからずれた位置にある直線に沿って折り曲げられている。採光部４２は、中心線Ｃに対して面積が広い側の領域（第１の領域８１Ａａ）に設けられている。そのため、第１の領域８１Ａａを有する第１部分８１ａの長さは、第２の領域８１Ａｂを有する第２部分８２ｂの長さより長くなっている。
【０１０３】
図１８Ａは、第１実施形態の採光スラットを用いた場合の全閉状態の側面図であり、図１８Ｂは、第５実施形態の採光スラットを用いた場合の全閉状態の側面図である。図１８Ａに示すように、第１実施形態の採光スラット４は、全閉状態において隣接するスラットピッチＰに対する、第１の領域４１Ａａを有する第１部分４１ａの長さＬ１が短い。そのため、全閉状態でも、隣接する採光スラット４間に、ある程度の隙間が生じている。これに対し、図１８Ｂに示すように、第５実施形態の採光スラット８０では、第１部分８１ａが隣接する採光スラット８０間に密に配置されている。そのため、採光装置が全閉状態において、隣接する採光スラット４間に生じる隙間を小さくすることができ、より採光特性を高めることができる。第１実施形態の採光スラット４をより密に配置することで、隙間が生じることを抑制することもできるが、採光スラット４の数を多くする必要がある。
【０１０４】
例えば、第１部分８１ａと採光スラット８０の両端を結ぶ直線のなす角θ１を１５°、第１部分８１ａと第２部分８１ｂのなす角θ２を１３０°とする。この場合、スラットピッチＰと第１部分４１ａの長さＬ１の関係を算出すると、Ｌ１／Ｐ≒０．９４となる。すなわち、採光面積率は９４％であり、高い採光特性を得られていることが確認できる。
【０１０５】
また第２部分８１ｂの長さＬ２は、第１部分８１ａの長さＬ１に対して短い。そのため、採光スラット８０を出射した光が、第２部分８１ｂに再入射することをより避けることができる。すなわち、天井１００１に向かって出射された光の一部が、採光スラット８０の第２部分８１ｂによって、床１００２に向かって反射することを避けることができる。
【０１０６】
［第６実施形態］
次に、本発明の第６実施形態の採光スラットの構成について説明する。
以下に示す本実施形態の採光スラットの基本構成は、上記第１実施形態と略同様であるが、基材の第２部分の少なくとも一部に光吸収性が付与されている点において異なる。よって、以下の説明では、この採光スラットについて詳しく説明し、共通な箇所の説明は省略する。また、説明に用いる各図面において、図１〜図１３Ｃと共通の構成要素には同一の符号を付すものとする。
【０１０７】
図１９Ａ〜図１９Ｄは、第６実施形態の採光スラットを用いた採光装置の全閉状態の側面図である。図１９Ａ〜図１９Ｄでは、採光スラットの要部を拡大している。図１９Ａは、第２部分４１のいずれかの面に光吸収性を有する部分９１を設けた場合であり、図１９Ｂ及び図１９Ｃは第２部分４１ｂ自体が光吸収性を有する部材９２からなる場合である。このように、第６実施形態の採光スラット９０は、基材４１の第２部分４１ｂの少なくとも一部が、光吸収性を有していればよい。そのため、第２部分４１ｂ全体が光吸収性を有していてもよいし、さらに図１９Ｄに示すように、第１部分４１ａの一部が光吸収性を有していてもよい。特に基材の屈曲部近傍に入射した光は、採光されずに直接室内に入射する場合があるため、第１部分にまで光吸収性を付与することは意味がある。また光吸収性は、第２部分４１ｂのいずれかの面に光吸収性を有する部分９１を設けてもよいし、第２部分４１ｂ自体が光吸収性を有していてもよい。
【０１０８】
図１９Ａにおける光吸収性を有する部分９１は、光吸収性の部材（例えば着色テープ等）を第２の領域４１Ａｂに設けてもよいし、第２の領域４１Ａｂの表面を着色してもよい。黒色に着色することが光吸収性の面では最も好ましいが、その他の色を着色してもよい。採光スラット９０自体の色と、着色する色を合せて、黒色を実現してもよい。また第２部分４１ｂ自体が光吸収性を有する場合は、第２部分４１ｂを着色することで実現することができる。
【０１０９】
図１９Ｂ〜図１９Ｄにおける光吸収性を有する部材９２は、着色樹脂等を用いて作製することができる。光吸収性を有する部材９２は、図１９Ｂ及び図１９Ｃに示すように、その内部に芯材９３を有することが好ましい。芯材９３を設けることで、採光スラット９０の剛性を高めることができる。芯材９３は、図１９Ｂに示すように板状でもよく、図１９Ｃに示すように棒状でもよい。またこの他にも、光吸収性を有する部材９２の剛性を高めることができる構成であれば、適宜用いることができる。例えば芯材９３を、光吸収性を有する部材９２内に網状に設けてもよい。芯材９３を内部に有する光吸収性を有する部材９２は、公知のインサート成形等により作製することができる。
【０１１０】
これらの採光スラット９０に入射した外光は、図１９Ａ〜図１９Ｃに示すように、第１領域４１Ａａに設けられた採光部４２によって、天井側に向けて出射することができる。一方で、第１領域４１Ａａに入射した光の一部は、第１領域４１Ａａを透過する（矢印Ｌａ）。この光は、光吸収性を有する部分９１を設けない場合は、図５におけるグレア領域Ｇに向かう。そのため、室内１００６に居る人Ｍａ，Ｍｂに眩しさを感じさせるおそれがある。一方で、第６実施形態の採光スラット９０は、光吸収性を有する部分９１を備える。そのため、ある採光スラット９０の第１領域４１Ａａを透過した光Ｌａを、隣接する採光スラット９０の第２領域４１Ａｂに設けられた光吸収性を有する部分９１によって吸収することができる。そのため、グレア領域Ｇに向かう光を減光することができ、室内１００６に居る人Ｍａ，Ｍｂに眩しさを感じさせることを抑制できる。
【０１１１】
また光吸収性を有する部分９１を第２領域４１Ａｂの全面に設けることで、採光状態と、減光状態を切り替えることができる。図２０Ａは、第６実施形態の採光スラットを用いた採光装置の全開状態の側面図であり、図２０Ｂは、第６実施形態の採光スラットを用いた採光装置の採光状態の側面図であり、図２０Ｃは、第６実施形態の採光スラットを用いた採光装置の減光状態の側面図である。
図２０Ｂは、採光部４２が設けられた第１領域４１Ａａが鉛直方向に向くように、図２０Ａに示す採光装置の全開状態から採光スラット８０を回動させている。そのため、採光部４２が設けられた第１領域４１Ａａが鉛直方向に向く。窓ガラス１００３から入射した光は、採光部４２によって天井１００６に向くように屈折する。
これに対し、図２０Ｃは、図２０Ｂと逆方向に採光スラット８０を回動させている。そのため、光吸収性を有する部分９１が設けられた第２領域４１Ａｂが鉛直方向に向く。したがって、窓ガラス１００３から入射した光は、光吸収性を有する部分９１によって遮光される。隣接する採光スラット８０間の隙間がある場合は、外光が直射することはあるが、減光することができる。
【０１１２】
第６実施形態の採光スラット８０では、光吸収性を有する部分９１が設けているが、この光吸収性を有する部分９１を、光反射性を有する部分としてもよい。また第２部分４１ｂ自体に光反射性を付与する場合は、第２部分４１ｂを鏡等の反射板に置き換えることができる。この構成によれば、窓ガラス１００３から入射した光を、光反射性を有する部分によって反射する事ができる。この反射により、採光スラットの第１領域４１Ａａを透過した光Ｌａは、天井１００６側に向かう。
【０１１３】
［第７実施形態］
次に、本発明の第７実施形態の採光スラットの構成について説明する。
以下に示す本実施形態の採光スラットの基本構成は、上記第１実施形態と略同様であるが、基材のラダーコードで接する部分に切り欠けが設けられている点において異なる。よって、以下の説明では、この採光スラットについて詳しく説明し、共通な箇所の説明は省略する。また、説明に用いる各図面において、図１〜図１３Ｃと共通の構成要素には同一の符号を付すものとする。
【０１１４】
図２１は、第７実施形態の採光スラットの概略を示す斜視図である。第７実施形態の採光スラット１００は、基材４１のラダーコード１２（図４Ａ及び図４Ｂ参照）と接する部分の一部に切り欠け部１０１が設けられている。図２１では、基材４１の第１部分４１ａ及び第２部分４１ｂのいずれにも切り欠け部１０１が設けられているが、必ずしも両方に切欠け部１０１を設ける必要はなく、いずれか一方のみでもよい。
【０１１５】
図２２Ａは、第７実施形態の採光スラットを用いた採光装置の全開状態を示した側面図であり、図２２Ｂは、第７実施形態の採光スラットを用いた採光装置の全閉状態を示した側面図である。第７実施形態の採光スラット１００は、ラダーコード１２と接する部分に切欠け部１０１が設けられている。そのため、図２２Ａに示すように、全開状態では、採光スラット１００は、ラダーコード１２を構成する縦コード１５ａ、１５ｂで挟まれる領域から側面視で突出している。そのため、採光スラット１００の幅方向のサイズを縦コード１５ａ、１５ｂの幅によらず自由に設計することができる。また切り欠け部１０１にラダーコード１２が架かっているため、採光スラット１００が左右方向にずれることを防止することができる。
図２２Ｂに示すように、全閉状態では、採光スラット１００は、ラダーコード１２を構成する横コード１６ａを突出する。そのため、切り欠け部１０１を有さない採光スラット（例えば、図１８Ａ参照）において、発生していた隣接する採光スラット１００間に生じる隙間を、第７実施形態の採光スラット１００を用いることで低減することができる。すなわち、全閉状態での採光面積率を高めることができ、高い採光特性を実現することができる。
【０１１６】
［第８実施形態］
次に、本発明の第８実施形態の採光スラットの構成について説明する。
以下に示す本実施形態の採光スラットの基本構成は、上記第１実施形態と略同様であるが、基材の形状が異なる。よって、以下の説明では、この採光スラットについて詳しく説明し、共通な箇所の説明は省略する。また、説明に用いる各図面において、図１〜図１３Ｃと共通の構成要素には同一の符号を付すものとする。
【０１１７】
図２３は、第８実施形態の採光スラットの断面図である。第８実施形態の採光スラット１１０は、図１０Ａに示す基材４５を用いる。採光部４２は、この基材４５の第１領域４５に設けられている。
【０１１８】
図２４Ａは第１実施形態の採光スラットの機能を模式的に示した図であり、図２４Ｂは第８実施形態の採光スラットの機能を模式的に示した図である。図２４Ａの左図は採光装置が全閉時の側面図を示しており、右図は傾動操作後の側面図である。
【０１１９】
図２４Ａに示すように、第１実施形態の採光スラット４は、採光装置の全閉状態から開ける方向に採光スラット４を傾動操作すると、採光スラット４が傾く。この採光スラット４を傾けることは、図５において、天井１００１方向に向かっていた光を、床１００２方向に向かわせることに繋がる。すなわち、傾動操作時に、グレア領域Ｇに光が入射してしまう。
これに対し、第８実施形態の採光スラットでは、傾動操作時にもグレア領域に光が入射することを抑制できる。図２４Ｂの左図は採光装置が全閉時の側面図を示しており、右図は傾動操作後の側面図である。図２４Ｂに示すように、第８実施形態の採光スラット１１０は、採光装置の全閉状態から開ける方向に採光スラット１１０を傾動操作すると、採光スラット１１０が傾く。この採光スラット１１０は、第１実施形態の採光スラット４と採光部４２が形成されている面が異なる。そのため、採光スラット１１０を傾けることで、図５において、天井１００１方向に向かっていた光が、より室内１００６の窓側１００３の天井１００１に向けて出射する。すなわち、傾動操作時にも、グレア領域Ｇに光が入射することを抑制することができる。
【０１２０】
［第９実施形態］
次に、第９実施形態における採光装置の構成について説明する。
以下に示す本実施形態の採光装置の基本構成は、上記第１〜第８実施形態と略同様である。第１〜第８実施形態においては、同一の複数の採光スラットからなる採光装置について説明したが、第９実施形態においては異なる光学設計の採光スラットが混在している点が異なる。よって、以下の説明では、特徴部について詳しく説明し、共通な箇所の説明は省略する。また、説明に用いる各図面において、図１〜図１３Ｃと共通の構成要素には同一の符号を付すものとする。
【０１２１】
図２５は、第９実施形態における採光装置の断面を模式的に示した図である。図２５における採光装置１２０は、その鉛直方向において上部領域１２０Ａ、中央領域１２０Ｂ、下部領域１２０Ｃの３つの領域を有する。上部領域１２０Ａを構成する採光スラット１２１Ａと、中央領域１２０Ｂを構成する採光スラット１２１Ｂと、下部領域１２０Ｃを構成する採光スラット１２１Ｃは、それぞれ光学設計が異なる。すなわち、採光スラット１２１Ａを構成する採光部１２２Ａと、採光スラット１２１Ａを構成する採光部１２２Ｂと、採光スラット１２１Ｃを構成する採光部１２２Ｃとは、その形状がそれぞれ異なる。
【０１２２】
図２５に示すように、採光装置１２０に外部から入射した光は、それぞれの採光部１２２Ａ〜１２２Ｃによって配向される。そのため、上部領域１２０Ａ、中央領域１２０Ｂ、下部領域１２０Ｃのそれぞれに入射した光は、それぞれ異なる向きに射出される。
図２５では、一例として、下部領域１２０Ｃに入射した光が窓１００３に近い方向に射出され、上部領域１２０Ａに入射した光が奥の側壁１００５に近い方向に射出され、中央領域１２０Ｂに入射した光がその間に射出されるように設計した（図５参照）。このように、採光装置１２０から射出される光の向きを領域毎で変化させることにより、室内全体の照度を均一化することができる。
【０１２３】
上部領域１２０Ａ、中央領域１２０Ｂ、下部領域１２０Ｃの面積比率は、一定である必要はない。上述のように、下部領域１２０Ｃから上部領域１２０Ａに向かうに従い、射出される光の向きを、窓１００３側から奥の側壁１００５へ変化させる場合は、以下のように各領域の面積を設定することができる。
この場合、下部領域１２０Ｃを通過した光が天井１００１に照射されるまでに移動する距離は、上部領域１２０Ａを通過した光が天井１００１に照射されるまでに移動する距離より短い。光が移動する距離が長いと、それだけ光は埃等により散乱するおそれが高くなる。したがって、室内全体の照度を均一化する観点からは、上部領域２１０Ａから射出される光量が、下部領域２１０Ｃから射出される光量より多いことが好ましい。したがって、各領域の光の配向性を図２５に示すように設定した場合、上部領域１２０Ａ、中央領域１２０Ｂ、下部領域１２０Ｃの順に、各領域が占める面積比率が大きくなることが好ましい。
【０１２４】
図２５では、３つの領域に分けたがこの場合に限られない。３つ以上の領域に区切ってもよく、２つの領域に区切ってもよい。領域数は適宜変更することができる。どの領域を通過した光をどの方向に配光させるかも、自由に変更することができる。配光の向きは、採光部の形状を変更することで変更することができる。また第１の実施形態で説明した採光装置１同様、遮光領域を同時に設けてもよく、採光領域と遮光領域の配置も適宜設計することができる。
【０１２５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。各実施形態の構成を適宜組み合わせてもよい。また上述の実施形態では、一枚の平板を折り曲げた例を主に図示して説明したが、この例の他に湾曲させた曲面状のスラットを用いてもよい。
【０１２６】
［照明調光システム］
図２６は、採光装置及び照明調光システムを備えた部屋モデル２０００であって、図２７のＢ−Ｂ’線に沿う断面図である。図２８は、部屋モデル２０００の天井を示す平面図である。
【０１２７】
部屋モデル２０００において、外光が導入される部屋２００３の天井２００３ａを構成する天井材は、高い光反射性を有していてもよい。図２６及び図２７に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１２８】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１２９】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１３０】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１３１】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１３２】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１３３】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１３４】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１３５】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１３６】
図２６及び図２７に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１３７】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１３８】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【０１３９】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１４０】
図２８は、採光装置によって室内に採光された光（自然光）の照度と、室内照明装置による照度（照明調光システム）との関係を示すグラフである。図２８において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
図２８に示すように、採光装置２０１０により採光された光に起因する机上面照度は、窓近傍ほど明るく、窓から遠くなるに従ってその効果は小さくなる。採光装置２０１０を適用した部屋では、昼間において窓からの自然採光によりこのような部屋奥方向への照度分布が生じる。そこで、採光装置２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に渡って執務をする上で十分とされる机上面照度である７５０ｌｘ（「ＪＩＳ  Ｚ９１１０  照明総則」の執務室における推奨維持照度）を実現することができる。
【０１４１】
以上述べたように、採光装置２０１０と照明調光システム（室内照明装置２００７）とを併用することにより、室内の奥の方まで光を届けることが可能となり、室内の明るさをさらに向上させることができるとともに部屋全体に渡って執務をする上で十分とされる机上面照度を確保することができる。したがって、季節や天気による影響を受けずにより一層安定した明るい光環境が得られる。
【産業上の利用可能性】
【０１４２】
本発明の一態様は、スラットの収納性及び軽量化を確保しつつ、剛性を高めたスラットを備えた採光装置、並びにそのような採光装置に用いて好適な採光スラットなどに適用することができる。
【符号の説明】
【０１４３】
１、１２１…採光装置、２…スラット、３…支持機構、４，３０，５０，６０，７０，８０，９０，１００，１１０，１２１Ａ，１２１Ｂ，１２１Ｃ…採光スラット、４１，４５，４６，４７，４８，４９，８１…基材、４１Ａ…第１面、４１Ａａ，４５Ａａ，４６Ａａ，４７Ａａ，４８Ａａ，４９Ａａ，８１Ａａ…第１領域、４２，４２Ａ，４２Ｂ，４２Ｃ，６１，６２、１２２Ａ，１２２Ｂ、１２２Ｃ…採光部、４３…空隙部、５１…支持部材、５…採光領域、６…遮光スラット、７…遮光領域、７１…拡散フィルム（拡散層）、９１…遮光性を有する部分、９２…光吸収性を有する部材、９３…芯材、１０１…切り欠け部、Ｌ…光
【図１】
2016175203.tif 000003
【図２】
2016175203.tif 000004
【図３】
2016175203.tif 000005
【図４Ａ】
2016175203.tif 000006
【図４Ｂ】
2016175203.tif 000007
【図５】
2016175203.tif 000008
【図６】
2016175203.tif 000009
【図７】
2016175203.tif 000010
【図８Ａ】
2016175203.tif 000011
【図８Ｂ】
2016175203.tif 000012
【図９Ａ】
2016175203.tif 000013
【図９Ｂ】
2016175203.tif 000014
【図９Ｃ】
2016175203.tif 000015
【図１０Ａ】
2016175203.tif 000016
【図１０Ｂ】
2016175203.tif 000017
【図１０Ｃ】
2016175203.tif 000018
【図１０Ｄ】
2016175203.tif 000019
【図１０Ｅ】
2016175203.tif 000020
【図１０Ｆ】
2016175203.tif 000021
【図１１】
2016175203.tif 000022
【図１２Ａ】
2016175203.tif 000023
【図１２Ｂ】
2016175203.tif 000024
【図１２Ｃ】
2016175203.tif 000025
【図１３Ａ】
2016175203.tif 000026
【図１３Ｂ】
2016175203.tif 000027
【図１３Ｃ】
2016175203.tif 000028
【図１４】
2016175203.tif 000029
【図１５Ａ】
2016175203.tif 000030
【図１５Ｂ】
2016175203.tif 000031
【図１６】
2016175203.tif 000032
【図１７】
2016175203.tif 000033
【図１８Ａ】
2016175203.tif 000034
【図１８Ｂ】
2016175203.tif 000035
【図１９Ａ】
2016175203.tif 000036
【図１９Ｂ】
2016175203.tif 000037
【図１９Ｃ】
2016175203.tif 000038
【図１９Ｄ】
2016175203.tif 000039
【図２０Ａ】
2016175203.tif 000040
【図２０Ｂ】
2016175203.tif 000041
【図２０Ｃ】
2016175203.tif 000042
【図２１】
2016175203.tif 000043
【図２２Ａ】
2016175203.tif 000044
【図２２Ｂ】
2016175203.tif 000045
【図２３】
2016175203.tif 000046
【図２４Ａ】
2016175203.tif 000047
【図２４Ｂ】
2016175203.tif 000048
【図２５】
2016175203.tif 000049
【図２６】
2016175203.tif 000050
【図２７】
2016175203.tif 000051
【図２８】
2016175203.tif 000052
【国際調査報告】
2016175203.tif 000053
2016175203.tif 000054
2016175203.tif 000055
2016175203.tif 000056